(57)【要約】【課題】受信データあるいは送信データに対する返信状況を管理をすることができる通信装置を提供すること。【解決手段】返信管理メモリには、返信要求を付して送信したファクシミリデータを特定する識別情報と、その返信を受信していないことを示す返信未受信情報とが対応つけて記憶されている。そして、そのファクシミリデータを送信した送信元装置から、その識別情報と、その識別情報によって特定されるファクシミリデータの返信であることを示す返信応答情報とが送信された場合には、返信管理メモリに記憶されている返信未受信情報が、返信を受信したことを示す返信受信済情報に更新される。よって、返信要求を付して送信したファクシミリデータに対して返信がされたか否かを管理することができる。【選択図】    図７
2008252842.tif 000002
【特許請求の範囲】
【請求項１】
送信元装置から送信されるデータを受信データとして受信する受信手段と、
その受信データに基づいて記録媒体に画像を形成する画像形成手段と、
予め、前記受信データに対する返信を必要とすることを設定する設定手段と、
無線タグに情報を書き込む無線タグ書込手段とを備え、
前記設定手段によって前記受信データに対する返信が必要とすることが設定されていることを条件として、前記無線タグ書込手段は、返信が必要であることを示す要返信情報を、前記記録媒体に付されている無線タグに書き込むことを特徴とする通信装置。
【請求項２】
送信元装置から送信されるデータを受信データとして受信する受信手段と、
その受信データに基づいて記録媒体に画像を形成する画像形成手段と、
無線タグに情報を書き込む無線タグ書込手段とを備え、
前記送信元装置から前記受信データに対する返信が要求されていることを示す情報を取得したことを条件として、前記無線タグ書込手段は、返信が必要であることを示す要返信情報を、前記記録媒体に付されている無線タグに書き込むことを特徴とする通信装置。
【請求項３】
前記要返信情報は、前記受信データに対する返信が未返信であることを示す未返信情報を含み、
データを送信する送信手段と、
その送信手段により送信されるデータが、前記受信データに対する返信である返信データであることを特定する返信データ特定手段と、
その返信データ特定手段により返信データであることが特定され、前記送信手段により、その返信データが前記受信データの送信元装置に送信されることを条件として、前記無線タグに書き込まれている未返信情報を、返信済であることを示す返信済情報に更新する更新手段とを備えていることを特徴とする請求項１又は２に記載の通信装置。
【請求項４】
前記無線タグに書き込まれている情報を読み出す無線タグ読出手段を備え、
前記返信データ特定手段は、その無線タグ読出手段により無線タグから読み出された情報が要返信情報であり、更に、その無線タグからの情報の読み出しと関連して、前記送信手段により送信されるデータがある場合に、そのデータを前記返信データと特定することを特徴とする請求項３に記載の通信装置。
【請求項５】
前記受信データに対する返信を行うかを確認する確認手段を備え、
その確認手段によって返信することが確認された場合に、前記返信データ特定手段は、前記送信手段により送信されるデータを前記返信データと特定することを特徴とする請求項３又は４に記載の通信装置。
【請求項６】
前記受信データを受信した場合に、前記送信元装置を特定可能な送信元識別情報を取得する送信元取得手段を備え、
前記無線タグ書込手段は、前記送信元取得手段によって取得した前記送信元識別情報を前記要返信情報に対応つけて前記無線タグに書き込み、
前記送信手段は、前記無線タグ読出手段を介して読み出される前記送信元識別情報によって特定される送信元装置に前記返信データを送信することを特徴とする請求項３から５のいずれかに記載の通信装置。
【請求項７】
前記受信データを受信した受信日を示す受信日情報を取得する受信日取得手段を備え、  前記無線タグ書込手段は、前記受信日取得手段によって取得した前記受信日情報を前記要返信情報に対応つけて前記無線タグに書き込むことを特徴とする請求項１から６のいずれかに記載の通信装置。
【請求項８】
前記無線タグ読出手段を介して読み出される前記受信日情報に基づいて前記受信データに対する返信期限を設定する返信期限設定手段と、
現在の日付情報を取得する現在日付取得手段と、
その現在日付取得手段により取得された現在の日付が前記返信期限設定手段によって設定された返信期限を経過しているかを判断する返信期限判断手段と、
その返信期限判断手段によって、前記現在の日付が返信期限を経過していると判断された場合に、返信期限が経過していることを示す情報を出力する第１の出力手段とを備えていることを特徴とする請求項７に記載の通信装置。
【請求項９】
前記無線タグに書き込まれている情報を、前記無線タグ読出手段を介して読出し、その情報を出力する第２の出力手段を備えていることを特徴とする請求項１から８のいずれかに記載の通信装置。
【請求項１０】
前記無線タグ書込手段は、前記画像形成手段により前記受信データに基づいて画像が形成される記録媒体のうち、最初の記録媒体に付されている無線タグに前記要返信情報を書き込むことを特徴とする請求項１から９のいずれかに記載の通信装置。
【請求項１１】
前記無線タグ書込手段は、前記要返信情報として、前記受信データを特定可能な受信データ識別情報と、その受信データ識別情報によって特定される受信データに対する返信が未返信であることを示す未返信情報とを対応付けて前記無線タグに書き込み、
その無線タグ書込手段によって前記無線タグに書き込まれた前記受信データ識別情報と、前記未返信情報とを対応つけて記憶部に記憶する返信管理記憶手段と、
データを送信する送信手段と、
前記無線タグに書き込まれてる情報を読み出す無線タグ読出手段と、
その無線タグ読出手段によって読み出された情報に、前記返信管理記憶手段に記憶されている前記受信データ識別情報と一致する受信データ識別情報が存在するかを判断する受信データ識別情報判断手段と、
その受信データ識別情報判断手段によって一致する受信データ識別情報が存在すると判断された場合に、その判断に関連付けて前記送信手段により送信されるデータを、前記受信データ識別情報によって特定される受信データに対する返信データと特定する返信データ特定手段と、
前記送信手段より、その返信データが前記受信データの送信元装置に送信されることを条件として、前記受信データ識別情報に対応つけて前記記憶部に記憶されている未返信情報及び／又は前記無線タグに書き込まれてる未返信情報を、前記返信管理記憶手段、あるいは無線タグ書込手段を介して、返信済であることを示す返信済情報に更新する更新手段とを備えていることを特徴とする請求項１又は２に記載の通信装置。
【請求項１２】
前記受信データを受信した場合に、前記送信元装置を特定可能な送信元識別情報を取得する送信元取得手段を備え、
前記返信管理記憶手段または前記無線タグ書込手段は、前記要返信情報に対応つけて前記送信元識別情報を記憶部に記憶し、又は前記無線タグに書き込み、
前記送信手段は、前記返信データを前記記憶部に記憶されている、あるいは前記無線タグ読出手段を介して読出される前記送信元識別情報によって特定される送信元装置に送信することを特徴とする請求項１１に記載の通信装置。
【請求項１３】
前記送信手段は、前記返信データを送信する場合に、前記受信データ識別情報と、その受信データ識別情報によって特定される受信データに対する返信であることを示す返送応答情報とを前記送信元装置に送信させることを特徴とする請求項１１又は１２に記載の通信装置。
【請求項１４】
前記受信データ識別情報判断手段によって一致する受信データ識別情報が存在すると判断された場合であって、前記受信データに対する返信を行うかを確認する確認手段を備え、
その確認手段によって返信することが確認された場合に、前記返信データ特定手段は、前記送信手段により送信されるデータを前記返信データと特定することを特徴とする請求項１１から１３のいずれかに記載の通信装置。
【請求項１５】
前記記憶部に記憶されている情報、または前記無線タグ読出手段を介して読出される無線タグの情報を出力する第１の出力手段を備えていることを特徴とする請求項１１から１４のいずれかに記載の通信装置。
【請求項１６】
前記受信データを受信した受信日を示す受信日情報を取得する受信日取得手段を備え、  前記返信管理記憶手段または前記無線タグ書込手段は、前記受信日取得手段によって取得した前記受信日情報を前記受信データ識別情報として前記未返信情報と対応つけて、前記記憶部に記憶し及び／又は前記無線タグに書き込むことを特徴とする請求項１１から１５のいずれかに記載の通信装置。
【請求項１７】
前記記憶部に記憶されている、あるいは前記無線タグ読出手段を介して読出される前記受信日情報に基づいて前記受信データに対する返信期限を設定する返信期限設定手段と、
現在の日付情報を取得する現在日付取得手段と、
その現在日付取得手段により取得された現在の日付が前記返信期限設定手段によって設定された返信期限を経過しており、且つ、前記未返信情報と対応つけられている受信データ識別情報を抽出する抽出手段と、
その抽出手段によって抽出された受信データ識別情報を少なくとも出力する第２の出力手段とを備えていることを特徴とする請求項１６に記載の通信装置。
【請求項１８】
記録媒体に形成されている画像を読み取る読取手段と、その読取手段により読み取った画像を送信データとして送信先装置に送信する送信手段とを備えた通信装置において、
前記記録媒体に付されている無線タグから前記送信データに対する返信が必要であることを示す要返信情報を取得する返信要求取得手段と、
その返信要求取得手段によって要返信情報を取得した場合に、前記送信データを特定可能な送信データ識別情報と、その送信データ識別情報によって特定される送信データに対する返信を受け取っていないことを示す返信未受信情報とを対応付けて記憶部に記憶する返信管理記憶手段と、
前記送信データに対応つけて前記送信データ識別情報と前記要返信情報とを前記送信手段によって前記送信先装置に送信させる送信制御手段とを備えていることを特徴とする通信装置。
【請求項１９】
予め、前記送信データに対する返信を必要とすることを設定する設定手段を備え、
前記返信管理記憶手段は、前記返信要求取得手段によって要返信情報を取得した場合には、前記設定手段による設定に関わらず、前記送信データ識別情報と、前記返信未受信情報とを記憶部に記憶し、前記返信要求取得手段によって要返信情報を取得できない場合には、前記設定手段によって前記送信データに対する返信が必要であると設定されている場合に、前記送信データ識別情報と、前記返信未受信情報とを対応付けて記憶部に記憶することを特徴とする請求項１８に記載の通信装置。
【請求項２０】
前記返信要求取得手段によって要返信情報を取得した場合に、前記送信データ識別情報と、前記返信未受信情報とを対応付けて前記無線タグに書き込む書込手段を備えていることを特徴とする請求項１８又は１９に記載の通信装置。
【請求項２１】
前記返信管理記憶手段によって記憶部に記憶されている情報、または前記無線タグ読出手段を介して読出される無線タグの情報を出力する第１の出力手段を備えていることを特徴とする請求項１８から２０のいずれかに記載の通信装置。
【請求項２２】
前記送信データを送信した送信日を示す送信日情報を取得する送信日取得手段を備え、  前記返信管理記憶手段または前記無線タグ書込手段は、前記送信日取得手段によって取得した前記送信日情報を、前記送信データ識別情報として前記返信未受信情報に対応つけて、前記記憶部に記憶し及び／又は前記無線タグに書き込むことを特徴とする請求項１８から２１のいずれかに記載の通信装置。
【請求項２３】
前記送信制御手段は、前記送信データと、前記送信データ識別情報と、前記要返信情報とに対応つけて、自装置を特定可能な送信元情報を前記送信手段を介して送信させることを特徴とする請求項１８から２２のいずれかに記載の通信装置。
【請求項２４】
前記記憶部に記憶されている、あるいは前記無線タグ読出手段を介して読出される前記送信日情報に基づいて前記送信データに対する返信期限を設定する返信期限設定手段と、
現在の日付情報を取得する現在日付取得手段と、
その現在日付取得手段により取得された現在の日付が前記返信期限設定手段によって設定された返信期限を経過しており、且つ、前記返信未受信情報と対応つけられている送信データ識別情報を抽出する抽出手段と、
その抽出手段によって抽出された送信データ識別情報を少なくとも出力する第２の出力手段とを備えていることを特徴とする請求項２２又は２３に記載の通信装置。
【請求項２５】
データを受信する受信手段と、
その受信手段により受信したデータが、前記送信データに対する返信である返信データであることを特定する返信データ特定手段と、
その返信データ特定手段により返信データであることが特定された場合に、前記記憶部に記憶されている返信未受信情報及び／又は前記無線タグに書き込まれている返信未受信情報を、前記返信管理記憶手段、あるいは無線タグ書込手段を介して、返信受信済であることを示す返信受信済情報に更新する更新手段とを備えていることを特徴とする請求項１８から２４に記載の通信装置。
【請求項２６】
記録媒体に形成されている画像を読み取る読取手段と、その読取手段によって読み取った画像を送信データとして送信先装置に送信する送信手段とを備えた通信装置において、
予め前記送信データに対する返信を必要とすることを設定する設定手段と、
その設定手段によって前記送信データに対する返信が必要であると設定されている場合に、前記送信データを特定可能な送信データ識別情報と、その送信データ識別情報によって特定される送信データに対する返信を受け取っていないことを示す返信未受信情報とを対応付けて記憶部に記憶する返信管理記憶手段と、
前記送信データに対応つけて前記送信データ識別情報と前記要返信情報とを前記送信手段によって前記送信先装置に送信させる送信制御手段とを備えていることを特徴とする通信装置。
【発明の詳細な説明】
【技術分野】
【０００１】
本発明は通信装置に関し、特に、受信データに対する返信操作を簡易化させると共に、受信データあるいは送信データに対する返信状況を容易に管理をすることができる通信装置に関するものである。
【背景技術】
【０００２】
従来より、送信元装置から送信されるデータを受信して、その受信したデータに基づいて記録媒体に画像を形成したり、記録媒体に形成されている画像を読み取り、その読み取った画像のデータを指定した送信先装置へ送信する通信装置としてのファクシミリ装置が知られている。
【０００３】
このファクシミリ装置に関し、次の特許文献１には、発呼側からＦＡＸデータと、その発呼側の電話番号および名称とを受信し、予め、返信シート１２を印刷すると設定されていると共に、その発呼側の電話番号が短縮ダイアルに登録されていない場合には、発呼側の電話番号および名称をバーコード化して、そのコードと受信した画像の一枚目を合成した画像を返信シート１２にプリントする技術が開示されている。尚、バーコードの左横には、返信用シート１２であることを示すためのパターン“＋×＞”が印刷されている。
【０００４】
そして、そのＦＡＸデータに対する返信をする場合には、ユーザは返信シート１２を送信原稿の先頭ページより先に重ね、その状態で送信原稿を読み取り、その読み込んだ画像から“＋×＞”のパターンが検出されると、バーコードから電話番号と名称とを表示部３に表示し、ユーザによってスタートキーが押されると、返信シート１２に続くシートを表示した電話番号先に送信するように構成されている。
【特許文献１】特開２００５−１９８１２８号公報（段落第「００１９」等）
【発明の開示】
【発明が解決しようとする課題】
【０００５】
しかしながら、上述した特許文献１に記載されている技術では、返信用シート１２が作成されないＦＡＸについては、返信が必要なＦＡＸであるかが分からないという問題点があった。更に、受信したＦＡＸについて実際に返信したか否か、あるいは、返信要求をしたＦＡＸについて実際に返信されたか否か等のＦＡＸに対する返信状況は全く分からないという問題点があった。
【０００６】
本発明は、上記問題点を解決するためになされたものであり、受信データに対する返信操作を簡易化させると共に、受信データあるいは送信データに対する返信状況を容易に管理することができる通信装置を提供することを目的としている。
【課題を解決するための手段】
【０００７】
この目的を達成するために、請求項１記載の通信装置は、送信元装置から送信されるデータを受信データとして受信する受信手段と、その受信データに基づいて記録媒体に画像を形成する画像形成手段と、予め、前記受信データに対する返信を必要とすることを設定する設定手段と、無線タグに情報を書き込む無線タグ書込手段とを備え、前記設定手段によって前記受信データに対する返信が必要とすることが設定されていることを条件として、前記無線タグ書込手段は、返信が必要であることを示す要返信情報を、前記記録媒体に付されている無線タグに書き込むものである。
【０００８】
ここでいう無線タグとは、非接触でデータの読み書きが可能な記録媒体であって、ＩＣタグ、ＲＦＩＤ（Ｒａｄｉｏ  Ｆｒｅｑｕｅｎｃｙ  Ｉｄｅｎｔｉｆｉｃａｔｉｏｎ）タグとも称されるものである。また、原稿に付加された無線タグとは、原稿に貼付された無線タグだけではなく、例えば、原稿に埋め込まれた無線タグも含む。
【０００９】
請求項２記載の通信装置は、送信元装置から送信されるデータを受信データとして受信する受信手段と、その受信データに基づいて記録媒体に画像を形成する画像形成手段と、無線タグに情報を書き込む無線タグ書込手段とを備え、前記送信元装置から前記受信データに対する返信が要求されていることを示す情報を取得したことを条件として、前記無線タグ書込手段は、返信が必要であることを示す要返信情報を、前記記録媒体に付されている無線タグに書き込むものである。
【００１０】
請求項３記載の通信装置は、請求項１又は２に記載の通信装置において、前記要返信情報は、前記受信データに対する返信が未返信であることを示す未返信情報を含み、データを送信する送信手段と、その送信手段により送信されるデータが、前記受信データに対する返信である返信データであることを特定する返信データ特定手段と、その返信データ特定手段により返信データであることが特定され、前記送信手段により、その返信データが前記受信データの送信元装置に送信されることを条件として、前記無線タグに書き込まれている未返信情報を、返信済であることを示す返信済情報に更新する更新手段とを備えている。
【００１１】
請求項４記載の通信装置は、請求項３記載の通信装置において、前記無線タグに書き込まれている情報を読み出す無線タグ読出手段を備え、前記返信データ特定手段は、その無線タグ読出手段により無線タグから読み出された情報が要返信情報であり、更に、その無線タグからの情報の読み出しと関連して、前記送信手段により送信されるデータがある場合に、そのデータを前記返信データと特定するものである。
【００１２】
請求項５記載の通信装置は、請求項３又は４に記載の通信装置において、前記受信データに対する返信を行うかを確認する確認手段を備え、その確認手段によって返信することが確認された場合に、前記返信データ特定手段は、前記送信手段により送信されるデータを前記返信データと特定するものである。
【００１３】
請求項６記載の通信装置は、請求項３から５のいずれかに記載の通信装置において、前記受信データを受信した場合に、前記送信元装置を特定可能な送信元識別情報を取得する送信元取得手段を備え、前記無線タグ書込手段は、前記送信元取得手段によって取得した前記送信元識別情報を前記要返信情報に対応つけて前記無線タグに書き込み、前記送信手段は、前記無線タグ読出手段を介して読み出される前記送信元識別情報によって特定される送信元装置に前記返信データを送信するものである。
【００１４】
請求項７記載の通信装置は、請求項１から６のいずれかに記載の通信装置において、前記受信データを受信した受信日を示す受信日情報を取得する受信日取得手段を備え、前記無線タグ書込手段は、前記受信日取得手段によって取得した前記受信日情報を前記要返信情報に対応つけて前記無線タグに書き込むものである。
【００１５】
請求項８記載の通信装置は、請求項７記載の通信装置において、前記無線タグ読出手段を介して読み出される前記受信日情報に基づいて前記受信データに対する返信期限を設定する返信期限設定手段と、現在の日付情報を取得する現在日付取得手段と、その現在日付取得手段により取得された現在の日付が前記返信期限設定手段によって設定された返信期限を経過しているかを判断する返信期限判断手段と、その返信期限判断手段によって、前記現在の日付が返信期限を経過していると判断された場合に、返信期限が経過していることを示す情報を出力する第１の出力手段とを備えている。
【００１６】
請求項９記載の通信装置は、請求項１から８のいずれかに記載の通信装置において、前記無線タグに書き込まれている情報を、前記無線タグ読出手段を介して読出し、その情報を出力する第２の出力手段を備えている。
【００１７】
請求項１０記載の通信装置は、請求項１から９のいずれかに記載の通信装置において、前記無線タグ書込手段は、前記画像形成手段により前記受信データに基づいて画像が形成される記録媒体のうち、最初の記録媒体に付されている無線タグに前記要返信情報を書き込むものである。
【００１８】
請求項１１記載の通信装置は、請求項１又は２に記載の通信装置において、前記無線タグ書込手段は、前記要返信情報として、前記受信データを特定可能な受信データ識別情報と、その受信データ識別情報によって特定される受信データに対する返信が未返信であることを示す未返信情報とを対応付けて前記無線タグに書き込み、その無線タグ書込手段によって前記無線タグに書き込まれた前記受信データ識別情報と、前記未返信情報とを対応つけて記憶部に記憶する返信管理記憶手段と、データを送信する送信手段と、前記無線タグに書き込まれている情報を読み出す無線タグ読出手段と、その無線タグ読出手段によって読み出された情報に、前記返信管理記憶手段に記憶されている前記受信データ識別情報と一致する受信データ識別情報が存在するかを判断する受信データ識別情報判断手段と、その受信データ識別情報判断手段によって一致する受信データ識別情報が存在すると判断された場合に、その判断に関連付けて前記送信手段により送信されるデータを、前記受信データ識別情報によって特定される受信データに対する返信データと特定する返信データ特定手段と、前記送信手段より、その返信データが前記受信データの送信元装置に送信されることを条件として、前記受信データ識別情報に対応つけて前記記憶部に記憶されている未返信情報及び／又は前記無線タグに書き込まれてる未返信情報を、前記返信管理記憶手段、あるいは無線タグ書込手段を介して、返信済であることを示す返信済情報に更新する更新手段とを備えている。
【００１９】
請求項１２記載の通信装置は、請求項１１に記載の通信装置において、前記受信データを受信した場合に、前記送信元装置を特定可能な送信元識別情報を取得する送信元取得手段を備え、前記返信管理記憶手段または前記無線タグ書込手段は、前記要返信情報に対応つけて前記送信元識別情報を記憶部に記憶し、又は前記無線タグに書き込み、前記送信手段は、前記返信データを前記記憶部に記憶されている、あるいは前記無線タグ読出手段を介して読出される前記送信元識別情報によって特定される送信元装置に送信する。
【００２０】
請求項１３記載の通信装置は、請求項１１又は１２記載の通信装置において、前記送信手段は、前記返信データを送信する場合に、前記受信データ識別情報と、その受信データ識別情報によって特定される受信データに対する返信であることを示す返送応答情報とを前記送信元装置に送信させるものである。
【００２１】
請求項１４記載の通信装置は、請求項１１から１３のいずれかに記載の通信装置において、前記受信データ識別情報判断手段によって一致する受信データ識別情報が存在すると判断された場合であって、前記受信データに対する返信を行うかを確認する確認手段を備え、その確認手段によって返信することが確認された場合に、前記返信データ特定手段は、前記送信手段により送信されるデータを前記返信データと特定するものである。
【００２２】
請求項１５記載の通信装置は、請求項１１から１４のいずれかに記載の通信装置において、前記記憶部に記憶されている情報、または前記無線タグ読出手段を介して読出される無線タグの情報を出力する第１の出力手段を備えている。
【００２３】
請求項１６記載の通信装置は、請求項１１から１５のいずれかに記載の通信装置において、前記受信データを受信した受信日を示す受信日情報を取得する受信日取得手段を備え、前記返信管理記憶手段または前記無線タグ書込手段は、前記受信日取得手段によって取得した前記受信日情報を前記受信データ識別情報として前記未返信情報と対応つけて、前記記憶部に記憶し及び／又は前記無線タグに書き込むものである。
【００２４】
請求項１７記載の通信装置は、請求項１６記載の通信装置において、前記記憶部に記憶されている、あるいは前記無線タグ読出手段を介して読出される前記受信日情報に基づいて前記受信データに対する返信期限を設定する返信期限設定手段と、現在の日付情報を取得する現在日付取得手段と、その現在日付取得手段により取得された現在の日付が前記返信期限設定手段によって設定された返信期限を経過しており、且つ、前記未返信情報と対応つけられている受信データ識別情報を抽出する抽出手段と、その抽出手段によって抽出された受信データ識別情報を少なくとも出力する第２の出力手段とを備えている。
【００２５】
請求項１８記載の通信装置は、記録媒体に形成されている画像を読み取る読取手段と、その読取手段により読み取った画像を送信データとして送信先装置に送信する送信手段とを備えたものであって、前記記録媒体に付されている無線タグから前記送信データに対する返信が必要であることを示す要返信情報を取得する返信要求取得手段と、その返信要求取得手段によって要返信情報を取得した場合に、前記送信データを特定可能な送信データ識別情報と、その送信データ識別情報によって特定される送信データに対する返信を受け取っていないことを示す返信未受信情報とを対応付けて記憶部に記憶する返信管理記憶手段と、前記送信データに対応つけて前記送信データ識別情報と前記要返信情報とを前記送信手段によって前記送信先装置に送信させる送信制御手段とを備えている。
【００２６】
請求項１９記載の通信装置は、請求項１８記載の通信装置において、予め、前記送信データに対する返信を必要とすることを設定する設定手段を備え、前記返信管理記憶手段は、前記返信要求取得手段によって要返信情報を取得した場合には、前記設定手段による設定に関わらず、前記送信データ識別情報と、前記返信未受信情報とを記憶部に記憶し、前記返信要求取得手段によって要返信情報を取得できない場合には、前記設定手段によって前記送信データに対する返信が必要であると設定されている場合に、前記送信データ識別情報と、前記返信未受信情報とを対応付けて記憶部に記憶するものである。
【００２７】
請求項２０記載の通信装置は、請求項１８又は１９に記載の通信装置において、前記返信要求取得手段によって要返信情報を取得した場合に、前記送信データ識別情報と、前記返信未受信情報とを対応付けて前記無線タグに書き込む書込手段を備えている。
【００２８】
請求項２１記載の通信装置は、請求項１８から２０のいずれかに記載の通信装置において、前記返信管理記憶手段によって記憶部に記憶されている情報、または前記無線タグ読出手段を介して読出される無線タグの情報を出力する第１の出力手段を備えている。
【００２９】
請求項２２記載の通信装置は、請求項１８から２１のいずれかに記載の通信装置において、前記送信データを送信した送信日を示す送信日情報を取得する送信日取得手段を備え、前記返信管理記憶手段または前記無線タグ書込手段は、前記送信日取得手段によって取得した前記送信日情報を、前記送信データ識別情報として前記返信未受信情報に対応つけて、前記記憶部に記憶し及び／又は前記無線タグに書き込むものである。
【００３０】
請求項２３記載の通信装置は、請求項１８から２２のいずれかに記載の通信装置において、前記送信制御手段は、前記送信データと、前記送信データ識別情報と、前記要返信情報とに対応つけて、自装置を特定可能な送信元情報を前記送信手段を介して送信させるものである。
【００３１】
請求項２４記載の通信装置は、請求項２２又は２３に記載の通信装置において、前記記憶部に記憶されている、あるいは前記無線タグ読出手段を介して読出される前記送信日情報に基づいて前記送信データに対する返信期限を設定する返信期限設定手段と、現在の日付情報を取得する現在日付取得手段と、その現在日付取得手段により取得された現在の日付が前記返信期限設定手段によって設定された返信期限を経過しており、且つ、前記返信未受信情報と対応つけられている送信データ識別情報を抽出する抽出手段と、その抽出手段によって抽出された送信データ識別情報を少なくとも出力する第２の出力手段とを備えている。
【００３２】
請求項２５記載の通信装置は、請求項１８から２４のいずれかに記載の通信装置において、データを受信する受信手段と、その受信手段により受信したデータが、前記送信データに対する返信である返信データであることを特定する返信データ特定手段と、その返信データ特定手段により返信データであることが特定された場合に、前記記憶部に記憶されている返信未受信情報及び／又は前記無線タグに書き込まれてる返信未受信情報を、前記返信管理記憶手段、あるいは無線タグ書込手段を介して、返信受信済であることを示す返信受信済情報に更新する更新手段とを備えている。
【００３３】
請求項２６記載の通信装置は、記録媒体に形成されている画像を読み取る読取手段と、その読取手段によって読み取った画像を送信データとして送信先装置に送信する送信手段とを備えたものであって、予め前記送信データに対する返信を必要とすることを設定する設定手段と、その設定手段によって前記送信データに対する返信が必要であると設定されている場合に、前記送信データを特定可能な送信データ識別情報と、その送信データ識別情報によって特定される送信データに対する返信を受け取っていないことを示す返信未受信情報とを対応付けて記憶部に記憶する返信管理記憶手段と、前記送信データに対応つけて前記送信データ識別情報と前記要返信情報とを前記送信手段によって前記送信先装置に送信させるものである。
【発明の効果】
【００３４】
請求項１記載の通信装置によれば、無線タグには、設定手段によって受信データに対する返信が必要とすることが設定されていることを条件として、返信が必要であることを示す要返信情報が書き込まれる。よって、無線タグに書き込まれている要返信情報を読み取ることで、その受信データに対する返信が必要であることが分かるという効果がある。また、要返信情報を無線タグに書き込むか否かは、設定手段による設定よって使い分けることができるので、受信データを受け取るユーザの意思で、要返信情報を無線タグに書き込むか否かを設定することができるという効果がある。
【００３５】
請求項２記載の通信装置によれば、無線タグには、送信元装置から受信した受信データに対する返信が要求されていることを示す情報を取得したことを条件として、返信が必要であることを示す要返信情報が書き込まれる。よって、無線タグに書き込まれている要返信情報を読み取ることで、その受信データに対する返信が必要であることが分かるという効果がある。また、要返信情報は、送信元装置から受信した受信データに対する返信が要求されていることを示す情報を取得したことを条件として無線タグに書き込まれるので、受信データを送信した送信元装置のユーザの意思で、要返信情報を無線タグに書き込むか否かを設定することができるという効果がある。
【００３６】
請求項３記載の通信装置によれば、請求項１又は２に記載の通信装置の奏する効果に加え、要返信情報は、受信データに対する返信が未返信であることを示す未返信情報を含み、前記受信データに対する返信である返信データであることが特定され、その返信データが前記受信データの送信元装置に送信されることを条件として、無線タグに書き込まれている未返信情報は、返信済であることを示す返信済情報に更新される。よって、無線タグに書き込まれている未返信情報、あるいは返信済情報を読み取ることで、その受信データに対する返信を行った否かという管理をすることができるという効果がある。
【００３７】
請求項４記載の通信装置によれば、請求項３に記載の通信装置の奏する効果に加え、返信データであるかは、無線タグ読出手段により無線タグから読み出された情報が要返信情報であり、更に、その無線タグからの情報の読み出しと関連して、送信手段により送信されるデータがある場合に、そのデータが返信データとして特定される。よって、他の送信データと返信データとを容易に区別することができ、要返信情報が設定された受信データに対して返信を行ったことを精度良く検出できるという効果がある。
【００３８】
請求項５記載の通信装置によれば、請求項３又は４に記載の通信装置の奏する効果に加え、送信手段により送信されるデータが、返信データであるかが確認手段によって確認された場合に、そのデータが返信データとして特定されるので、よって、一層、他の送信データと返信データとを正確に区別することができるという効果がある。
【００３９】
請求項６記載の通信装置によれば、請求項３から５のいずれかに記載の通信装置の奏する効果に加え、返信データは、無線タグ読出手段を介して読み出される送信元識別情報によって特定される送信元装置に送信されるので、返信データを簡単に、且つ、間違いなく、所望する相手先に送信することができるという効果がある。
【００４０】
請求項７記載の通信装置によれば、請求項１から６のいずれかに記載の通信装置の奏する効果に加え、受信データを受信した受信日を示す受信日情報が要返信情報に対応つけて無線タグに書き込まれるので、受信データの受信日を簡単に把握することができると共に、ユーザはその受信日に基づいて、いつまでに返信を行うかといった管理をユーザ自身が行うことができるという効果がある。
【００４１】
請求項８記載の通信装置によれば、請求項７に記載の通信装置の奏する効果に加え、返信期限が自動的に設定され、かつ現在の日付がその返信期限を経過していると判断された場合、返信期限が経過していることを示す情報が出力されるので、返信に対する期限管理を行うことができるという効果がある。
【００４２】
請求項９記載の通信装置によれば、請求項１から８のいずれかに記載の通信装置の奏する効果に加え、無線タグに書き込まれている情報が出力されるので、その受信データに対する返信が必要であるかどうか、受信日はいつであったか、といった情報を容易に確認することができるという効果がある。
【００４３】
請求項１０記載の通信装置によれば、請求項１から９のいずれかに記載の通信装置の奏する効果に加え、要返信情報は、画像形成手段により受信データに基づいて画像が形成される記録媒体のうち、最初の記録媒体に付されている無線タグに書き込まれるので、特に、受信データに基づく画像が形成された記録媒体が複数枚あった場合には、どの記録媒体に付されている無線タグに要返信情報等が書き込まれているかを簡単に把握することができるという効果がある。また、比較的高価な無線タグ付きの記録媒体の消費を抑えることができるという効果もある。
【００４４】
請求項１１記載の通信装置によれば、請求項１又は２に記載の通信装置の奏する効果に加え、無線タグには、受信データを特定可能な受信データ識別情報と、その受信データ識別情報によって特定される受信データに対する返信が未返信であることを示す未返信情報とが対応付けて書き込まれる。また、記憶部にも、その受信データ識別情報と、その未返信情報とが対応つけて記憶される。そして、送信手段によってデータを送信する場合において、無線タグ読出手段によって読み出された情報に、記憶部に記憶されている受信データ識別情報と一致する受信データ識別情報が存在すると判断された場合には、その判断に関連付けて前記送信手段により送信されるデータは、前記受信データ識別情報によって特定される受信データに対する返信データであると特定される。そして、前記送信手段より、その返信データが前記受信データの送信元装置に送信されることを条件として、前記受信データ識別情報に対応つけて前記記憶部に記憶されている未返信情報及び／又は前記無線タグに書き込まれている未返信情報は、前記返信管理記憶手段、あるいは無線タグ書込手段を介して、返信済であることを示す返信済情報に更新される。よって、無線タグ、もしくは記憶部に書き込まれている未返信情報、あるいは返信済情報を参照することで、その受信データに対する返信を行った否かという管理を行うことができるという効果がある。また、無線タグだけでなく、装置本体の記憶部においても受信データの返信管理を行うことができるため、仮に無線タグが付加された記録媒体（受信原稿等）を紛失した場合でも、受信データの返信管理を継続することができるという効果がある。
【００４５】
請求項１２記載の通信装置によれば、請求項１１に記載の通信装置の奏する効果に加え、送信元装置を特定可能な送信元識別情報が、要返信情報に対応つけて記憶部に記憶され、又は前記無線タグに書き込まれ、返信データは、前記記憶部に記憶されている、あるいは前記無線タグ読出手段を介して読出される前記送信元識別情報によって特定される送信元装置に送信される。よって、受信データに対する返信データの返信先を簡単に、且つ、間違いなく特定することができるという効果がある。
【００４６】
請求項１３記載の通信装置によれば、請求項１１又は１２に記載の通信装置の奏する効果に加え、返信データを送信する場合には、受信データ識別情報と、その受信データ識別情報によって特定される受信データに対する返信であることを示す返送応答情報とが送信元装置に送信される。よって、送信元装置において、その送信元装置から送信したデータに対する返信データであることを確認することができ、また、返信データを受信したかどうかの管理にも利用することができるという効果がある。
【００４７】
請求項１４記載の通信装置によれば、請求項１１から１３のいずれかに記載の通信装置の奏する効果に加え、送信手段により送信されるデータが、返信データであるかが確認手段によって確認された場合に、そのデータが返信データとして特定される。よって、他の送信データと返信データとを容易に区別することができ、要返信情報が設定された受信データに対して返信を行ったことを精度良く検出できるという効果がある。
【００４８】
請求項１５記載の通信装置によれば、請求項１１から１４のいずれかに記載の通信装置の奏する効果に加え、記憶部に記憶されている情報、または無線タグ読出手段を介して読出される無線タグの情報が出力されるので、どの受信データに対して返信が必要であるか、返信が行われたかどうか、といった情報を容易に確認することができるという効果がある。
【００４９】
請求項１６記載の通信装置によれば、請求項１１から１５のいずれかに記載の通信装置の奏する効果に加え、受信データを受信した受信日を示す受信日情報が、受信データ識別情報として未返信情報と対応つけて、記憶部に記憶され、及び／又は前記無線タグに書き込まれるので、無線タグに書き込まれるので、ユーザはその受信日情報に基づいて、どの受信データに対する返信をいつまでに行うかといった管理をユーザ自身が行うことができるという効果がある。
【００５０】
請求項１７記載の通信装置によれば、請求項１６に記載の通信装置の奏する効果に加え、返信期限が自動的に設定され、かつ現在の日付がその返信期限を経過していると判断された場合、返信期限が経過していることを示す情報が、受信データを識別可能な情報と共に出力されるので、返信に対する期限管理を行うことができるという効果がある。
【００５１】
請求項１８記載の通信装置によれば、記録媒体に付されている無線タグから送信データに対する返信が必要であることを示す要返信情報を取得した場合には、前記送信データを特定可能な送信データ識別情報と、その送信データ識別情報によって特定される送信データに対する返信を受け取っていないことを示す返信未受信情報とが対応付けて記憶部に記憶され、その送信データに対応つけて前記送信データ識別情報と前記要返信情報とが前記送信手段によって送信先装置に送信される。よって、送信データに対する返信を要求したこと、及び返信データを受け取っていないことを管理することができるという効果がある。
【００５２】
請求項１９記載の通信装置によれば、請求項１８に記載の通信装置の奏する効果に加え、予め、前記送信データに対する返信を必要とすることが設定されているか否かに関わらず、無線タグから要返信情報を取得した場合には、送信データ識別情報と、前記返信未受信情報とが記憶部に記憶され、返信要求取得手段によって要返信情報を取得できない場合には、送信データに対する返信が必要であると設定されている場合に、送信データ識別情報と、返信未受信情報とが対応付けて記憶部に記憶される。よって、無線タグから要返信情報を取得した場合を、設定手段による設定状況よりも優先させることができる。本装置を多数のユーザが共通して使用する環境に本装置が設定されている場合、設定手段による設定状況は、いずれのユーザの設定かが不明であり、先のユーザの設定状況が、そのままの状態になっている可能性があるのに対し、無線タグに書き込まれている要返信情報は、真に、その無線タグが付されている記録媒体に対する返信要求を示している。よって、無線タグから要返信情報を取得した場合を、設定手段による設定状況よりも優先させることで、正確な返信要求の管理をすることができるという効果がある。
【００５３】
請求項２０記載の通信装置によれば、請求項１８又は１９に記載の通信装置の奏する効果に加え、要返信情報を取得した場合には、前記送信データ識別情報と、前記返信未受信情報とが対応付けて無線タグに書き込まれる。よって、無線タグに書き込まれた情報を読み出すことで、無線タグにおいても、返信データを受け取っていないことを管理することができるという効果がある。
【００５４】
請求項２１記載の通信装置によれば、請求項１８から２０のいずれかに記載の通信装置の奏する効果に加え、記憶部に記憶されている情報、または無線タグ読出手段を介して読出される無線タグの情報が出力されるので、どの送信に対して返信要求を行ったかといった情報を容易に確認することができるという効果がある。
【００５５】
請求項２２記載の通信装置によれば、請求項１８から２１のいずれかに記載の通信装置の奏する効果に加え、送信データを送信した送信日を示す送信日情報が送信データ識別情報として要返信情報に対応つけて、記憶部に記憶され、及び／又は無線タグに書き込まれる。よって、送信日を簡単に把握することができ、返信データの遅れ等を管理することができるという効果がある。
【００５６】
請求項２３記載の通信装置によれば、請求項１８から２２のいずれかに記載の通信装置の奏する効果に加え、送信データと、送信データ識別情報と、要返信情報とに対応つけて、自装置を特定可能な送信元情報が送信手段を介して送信される。よって、送信先装置において、送信元装置を簡単に特定することができるという効果がある。また、送信先装置が返信データを送信する際に、その送信元情報を用いることで返信データを簡単に、且つ、間違いなく、送信元装置に送信することができるという効果がある。
【００５７】
請求項２４記載の通信装置によれば、請求項２２又は２３に記載の通信装置の奏する効果に加え、返信期限が自動的に設定され、かつ現在の日付がその返信期限を経過していると判断された場合、返信期限が経過していることを示す情報が、送信データを識別可能な情報と共に出力されるので、返信に対する期限管理を行うことができるという効果がある。
【００５８】
請求項２５記載の通信装置によれば、請求項１８から２４のいずれかに記載の通信装置の奏する効果に加え、返信データ特定手段により返信データであることが特定された場合には、前記記憶部に記憶されている返信未受信情報及び／又は前記無線タグに書き込まれている返信未受信情報が、前記返信管理記憶手段、あるいは無線タグ書込手段を介して、返信受信済であることを示す返信受信済情報が更新される。よって、無線タグ、もしくは記憶部に書き込まれている返信未受信情報、あるいは返信受信済情報を参照することで、その送信データに対する返信を受け取ったか否かを管理をすることができるという効果がある。また、無線タグだけでなく、装置本体の記憶部においても返信データの受信管理を行うことができるため、仮に無線タグが付加された記録媒体（送信原稿等）を紛失した場合でも、送信データに対する返信データの受信管理を継続することができるという効果がある。
【００５９】
請求項２６記載の通信装置によれば、予め、設定手段によって送信データに対する返信が必要であると設定されている場合には、前記送信データを特定可能な送信データ識別情報と、その送信データ識別情報によって特定される送信データに対する返信を受け取っていないことを示す返信未受信情報とが対応付けて記憶部に記憶され、その送信データに対応つけて前記送信データ識別情報と前記要返信情報とが前記送信手段によって送信元装置に送信される。よって、送信データに対する返信を要求したこと、また、返信データを受け取っていないことを管理することができるという効果がある。
【発明を実施するための最良の形態】
【００６０】
以下、本発明の好ましい実施形態について、添付図面を参照して説明する。図１は、本発明の通信装置の一実施形態としてのファクシミリ装置１の模式的な断面図を示す図である。このファクシミリ装置１は、受信したＦＡＸデータに対して返信したか否か、送信したＦＡＸデータに対して返信を受け取ったか否か等、ＦＡＸデータに対する返信状況を管理することができるものである。
【００６１】
図１に示されるように、ファクシミリ装置１は、自動原稿送り装置２と、スキャナ部３と、プリンタ部４と、給紙トレイ部５とを有する。
【００６２】
自動原稿送り装置２は、無線タグライタ１６ａと、図示しない原稿挿入口と原稿排出口とを備えている。ファクシミリ送信される原稿はこの自動原稿送り装置２の原稿挿入口に原稿面を下向きにして挿入される。そして、ユーザにより図示しないスタートキーが押下されると、その原稿は１ページずつ送られ、スキャナ部３によるデータの読み取りが行われた後に、原稿排出口から排出される。無線タグライタ１６ａは、原稿排出口に排出された原稿に付加されている無線タグに対し、無線によりデータを書き込むものである。
【００６３】
スキャナ部３は、無線タグリーダ１５と、スキャナ装置２２とを備える。無線タグリーダ１５は、自動原稿送り装置２により送られてきた原稿に無線タグが付加されているか否かを検出し、また無線タグが付加されていた場合、無線によりその無線タグからデータを読み出すものである。また無線タグの有無に拘わらず、自動原稿送り装置２により送られる原稿の画像データが、スキャナ装置２２により読み取られる。
【００６４】
プリンタ部４は、無線タグライタ１６ｂと、レーザプリンタ３０とを有する。無線タグライタ１６ｂは、給紙トレイ部５から給紙される記録用紙に付加された無線タグに対し、無線によりデータを書き込むものである。レーザプリンタ３０は、イエローのト尚収納したＹステーション３１、マゼンダのト尚収納したＭステーション３２、シアンのト尚収納したＣステーション３３およびブラックのト尚収納したＫステーション３４を備えると共に、これら各ステーションのト尚転写ドラム３５に受け渡すための中間転写ベルト３６や、定着用ローラ３７を備えている。このレーザプリンタ３０により画像が印刷（形成）された記録用紙は、排紙スタッカ３９へ排紙される。尚、プリンタ部４はインクジェット方式のプリンタであってもよい。
【００６５】
ファクシミリ装置１からファクシミリ送信する際には、ファクシミリ送信すべき原稿が自動原稿送り装置２にセットされ、ユーザにより図示しないスタートキーが押下されると、セットされた原稿が１ページずつ送られる。ここで、スキャナ装置２２による読み取り位置まで原稿を送る過程で、スキャナ部３に設けられた無線タグリーダ１５により、原稿に無線タグが付加されているか否かが検出され、また無線タグが付加されている場合はその無線タグからデータが読み出される。そして、原稿が所定の読み取り位置まで送られると、スキャナ装置２２により原稿の画像データが読み取られる。その後、原稿排出口に排出された原稿に付加されている無線タグに対し、無線タグライタ１６ａによってデータが書き込まれる。
【００６６】
一方、ファクシミリ装置１によりファクシミリ受信する際には、給紙トレイ部５からレーザプリンタ３０による画像印刷位置まで記録用紙が給紙される経路の所定位置において、プリンタ部４に設けられた無線タグライタ１６ｂにより、記録用紙に付加された無線タグに、データが書き込まれる。尚、スキャナ装置２２、無線タグリーダ１５及び無線タグライタ１６ａ、ｂの配置関係は、これに限定されるものではなく、種々の対応が可能である。例えば、無線タグリーダが原稿の移動経路とは別に設けられていてもよい。この場合、無線タグの情報だけを必要に応じて先にまとめて読み取らせるといった使用形態も可能となる。
【００６７】
図２は、ファクシミリ装置１の電気的構成を示すブロック図である。ファクシミリ装置１には、ＣＰＵ１１、ＲＯＭ１２、ＲＡＭ１３、フラッシュメモリ１４、ＲＴＣ１７、無線タグリーダ１５、無線タグライタ１６ａ，ｂ、ネットワーク・コントロール・ユニット（以下、「ＮＣＵ」と称する）１９、モデム２０、バッファ２１、スキャナ装置２２、符号化部２３、復号化部２４、レーザプリンタ３０、ＬＣＤ５４、アンプ２７が備えられ、これらはバスライン２５を介して接続されている。
【００６８】
ファクシミリ装置１のＣＰＵ１１は、回線制御を行うＮＣＵ１９を介して送受信される各種信号に従って、バスライン２５により接続された装置各部を制御してファクシミリ動作、即ち、データ通信を実行するものである。
【００６９】
ＲＯＭ１２は、このファクシミリ装置１で実行される制御プログラムを格納した書換不能なメモリであり、特に、ファクシミリ送受信プログラム１２１と、返信管理一覧表示プログラム１２２とを備えてる。ファクシミリ送受信プログラム１２１は、図４乃至図７に示されるフローチャートを実行するプログラムである。返信管理一覧表示プログラム１２２は、図８に示す返信管理一覧表をＬＣＤ５４に表示させるプログラムである。ＲＡＭ１３は、ファクシミリ装置１の各動作の実行時に、各種のデータを一時的に記憶するためのメモリである。
【００７０】
フラッシュメモリ１４は、書換可能な不揮発性のメモリであり、返信管理メモリ１４１と、送信用返信設定フラグ１４２と、受信用返信設定フラグ１４３と、返信要求フラグ１４４とを備えている。
【００７１】
返信管理メモリ１４１は、受信したファクシミリデータ、および、送信したファクシミリデータ毎に、その返信をしたか否か、あるいは返信を受け取ったか否かを管理するための情報を記憶するメモリである。返信管理メモリ１４１には、受信したファクシミリデータを特定する識別情報として受信日時データと、その受信したファクシミリデータを送信した送信元装置のＦＡＸ番号を示す送信元識別情報と、その受信したファクシミリデータに対して返信したか否かを示す返信情報と、返信期限を示す期限情報とが対応付けて記憶されている。また、送信したファクシミリデータを特定する識別情報として送信日時データと、その送信したファクシミリデータの送信先装置のＦＡＸ番号を示す送信先識別情報と、その送信したファクシミリデータに対して返信されたか否かを示す返信情報と、返信期限を示す返信期限情報とが対応付けて記憶されている。
【００７２】
送信用返信設定フラグ１４２は、ファクシミリデータを送信する場合に、そのファクシミリデータについて送信先装置に対して返信を要求するか否かを、予め、ユーザの意思で設定しておくためのフラグであり、返信を要求する場合には「ＯＮ」に設定されている。尚、この送信用返信設定フラグ１４２の設定は、所定のキー操作、もしくはメニュー設定によりユーザが設定できるように構成されている。
【００７３】
受信用返信設定フラグ１４３は、ファクシミリデータを受信した場合に、そのファクシミリデータを送信した送信元装置に対して返信を行う否かを、予め、ユーザの意思で設定しておくためのフラグであり、返信を行う場合には「ＯＮ」に設定されている。尚、この受信用返信設定フラグ１４３の設定は、所定のキー操作、もしくはメニュー設定によりユーザが設定できるように構成されている。
【００７４】
返信要求フラグ１４４は、図４に示すファクシミリ送信処理において、上述した送信用返信設定フラグ１４２が「ＯＮ」に設定されている場合、または、送信しようとする原稿に付加されている無線タグに、返信を要求する情報が書き込まれている場合に「ＯＮ」に設定され、その原稿の送信が終了した場合に「ＯＦＦ」に設定されるフラグである。
【００７５】
ＲＴＣ（Ｒｅａｌ  Ｔｉｍｅ  Ｃｌｏｃｋ  ）１７は、時計専用のチップであり、このＲＴＣ１７には、電源が切られている間も起動できるように電池１７ａが接続されている。このＲＴＣ１７から、現在日時、ファクシミリデータの送信日時、受信日時を検出することができる。
【００７６】
無線タグリーダ１５は、無線タグからデータを読み出すものであり、無線タグライタ１６ａ，ｂは、無線タグへデータを書き込むものである。ここで、図３を参照して、無線タグ６２、無線タグリーダ１５，無線タグライタ１６ａ，ｂについて説明する。
【００７７】
図３（ａ）は、無線タグ６２の電気的構成を示す概略的なブロック図である。図３（ａ）に示すように、無線タグ６２は、アンテナ用コイル６２１、共振コンデンサ６２２、整流・平滑回路６２３、変復調回路６２４、ＣＰＵ６２５、ＲＯＭ６２６、ＥＥＰＲＯＭ６２７が設けられている。アンテナ用コイル６２１は、共振コンデンサ６２２と並列に接続されて共振回路を構成し、無線タグリーダ１５または無線タグライタ１６ａ，ｂから送信される所定の高周波数の電力用電波振動を受信して整流・平滑回路６２３に供給する。
【００７８】
整流・平滑回路６２３は、動力用電源回路を構成するもので、共振回路から送信されてきた電力用電波信号を整流し、平滑化して一定電圧の直流電力にしてＣＰＵ６２５などに供給する。
【００７９】
無線タグリーダ１５または無線タグライタ１６ａ，ｂから送信されてくる信号は、電力用電波信号に重畳して送信され、その信号は変復調回路６２４により復調されてＣＰＵ６２５に与えられる。
【００８０】
ＣＰＵ６２５は、ＲＯＭ６２６に記憶された動作プログラムに従って動作し、変復調回路６２４から入力される信号に応じた処理を実行し、受信したデータをＥＥＰＲＯＭ６２７に書き込んだり、ＥＥＰＲＯＭ６２７からデータを読み出して変復調回路６２４により変調し、アンテナ用コイル６２１から電波信号として送信する。
【００８１】
上記構成の無線タグ６２において、整流・平滑回路６２３、変復調回路６２４、ＣＰＵ６２５、ＲＯＭ６２６、ＥＥＰＲＯＭ６２７はＩＣチップとされ、アンテナ用コイル６２１と共に記録用紙に埋め込まれている。
【００８２】
図３（ｂ）は、無線タグリーダ１５と無線タグライタ１６ａ，ｂとの電気的構成を示す概略的なブロック図である。図３（ｂ）に示すように、無線タグリーダ１５は、受信アンテナ用コイル１５１を備えた受信部１５２が設けられている。無線タグリーダ１６ａ，ｂは、送信アンテナ用コイル１６１を備えた送信部１６２が設けられている。
【００８３】
無線タグリーダ１５によれば、無線タグ６２から送信された電波信号については、これを受信アンテナ用コイル１５１で受信し、受信部１５２で復調して無線タグデータとして弁別する。このようにして、無線タグ６２から無線タグデータを読み出すことができる。  無線タグライタ１６ａ，ｂによれば、キャリア信号を送信部１６２で変調して電力用電波信号として送信アンテナ用コイル１６１から送信し、その後、送信すべき無線タグデータを電力用電波信号に重畳するように送信部１６２で変調して送信アンテナ用コイル１６１から送信する。これにより無線タグ６２に無線タグデータを書き込むことができる。
【００８４】
図２に戻り説明する。モデム２０は、ファクシミリデータ６３を変調・復調して伝送すると共に伝送制御用の各種手順信号を送受信するものであり、バッファ２１は、相手側ファクシミリ装置との間で送受信される符号化されたファクシミリデータを含むデータを一時的に格納するものである。
【００８５】
符号化部２３はファクシミリデータ６３の符号化を行うものである。復号化部２４は、バッファ２１に記憶された受信データを読み出して、これを復号化するものである。アンプ２７にはスピーカ２８が接続され、呼出音などをこのスピーカ２８から出力するためのものである。
【００８６】
このように構成されたファクシミリ装置１は、ＮＣＵ１９を介して、電話回線３１に接続されている。この電話回線３１は、本ファクシミリ装置１の交換機２９に接続され、この交換機２９は電話回線３２を介して、相手先装置側の交換機に接続され、更に電話回線を介して相手先装置に接続されている。
【００８７】
次に、図４を参照して、ファクシミリ装置１で実行されるファクシミリ送信処理について説明する。図４は、ファクシミリ送信処理のフローチャートである。この処理は、送信するファクシミリデータに対して返信要求をしたか否か、或は、先に受信したファクシミリデータに対する返信データを送信したか否かを管理するために、所定のデータを送信先装置に送信したり、所定のデータを無線タグに書き込んだり、或は、所定のデータを返信管理メモリ１４１に記憶する処理である。
【００８８】
尚、本実施形態では、この処理は、ユーザによって、自動原稿送り装置２の原稿挿入口に原稿がセットされ、スタートキーが押下された場合に、実行される。また、新規の送信であり、送信先の指定が必要な場合は、そのファクシミリ番号を指定した上で、スタートキーが押下される。
【００８９】
この処理では、まず、セットされた送信原稿をスキャナ２２によって読み取り（Ｓ４０１）、その送信原稿に無線タグ６２が付加されていれば、その無線タグ６２に書き込まれているデータを無線タグリーダ１５によって読み出す（Ｓ４０２）。そして、その読み出したデータに「返信を要求する」旨を示す返信要求情報が存在するかを判断し（Ｓ４０３）、かかる返信要求情報が有れば（Ｓ４０３：Ｙｅｓ）、返信要求フラグ１４４を「ＯＮ」に設定し（Ｓ４０４）、Ｓ４０６の処理に移行する。
【００９０】
一方、かかる返信要求情報がなければ（Ｓ４０３：Ｎｏ）、送信用返信要求設定フラグ１４２が「ＯＮ」かを判断し（Ｓ４０５）、「ＯＮ」であれば（Ｓ４０５：Ｙｅｓ）、返信要求フラグ１４４を「ＯＮ」に設定し（Ｓ４０４）、Ｓ４０６の処理に移行し、「ＯＮ」でなければ（Ｓ４０５：Ｎｏ）、Ｓ４０４の処理はスキップし、Ｓ４０６の処理に移行する。
【００９１】
これらの処理により、この送信原稿（送信データ）を送信する送信先装置に対して、返信を要求するか否かを設定することができる。また、返信要求フラグ１４４は、送信原稿に付加されている無線タグに返信要求情報が書き込まれている場合には（Ｓ４０３：Ｙｅｓ）、必ず「ＯＮ」に設定される。即ち、送信用返信要求設定フラグ１４２の設定に関わらず、「ＯＮ」に設定される。これにより、送信用返信要求設定フラグ１４２の設定内容よりも、送信原稿に付加されている無線タグに返信要求情報が書き込まれているか否かを優先させることができる。これは、例えば、先に使用したユーザが設定した送信用返信要求設定フラグ１４２の設定状態を確認しないまま、本処理を開始したとしても、正に、これから送信しようとする送信原稿の設定を優先させることを考慮したものである。
【００９２】
Ｓ４０６のステップでは、Ｓ４０２で読み出したデータに、返信要求があった受信データに対する返信が未返信であることを示す未返信情報が存在するかを判断し（Ｓ４０６）、存在する場合には（Ｓ４０６：Ｙｅｓ）、更に、その未返信情報に対応付けられている識別情報と、一致する識別情報が返信管理メモリ１４１に記憶されているかを判断する（Ｓ４０７）。一致する識別情報が記憶されていれば（Ｓ４０７：Ｙｅｓ）、Ｓ４０８の処理に移行する。
【００９３】
これは、図７で説明するファクシミリ受信処理では、送信元装置から送信されたファクシミリデータに対して返信要求がなされていた場合や、受信用返信設定フラグ１４３が「ＯＮ」に設定されていた場合には、例えば、その受信したファクシミリデータが印刷された受信原稿の最初の記録用紙に付加されている無線タグには、返信要求があることを示す情報と、その返信要求に対して未返信であることを示す未返信情報と、その受信したファクシミリデータを特定することができる識別情報とが要返信情報として書き込まれる。また、無線タグに書き込んだ情報と同じ情報が返信管理メモリ１４１にも記憶される。
【００９４】
尚、上記各種情報が書き込まれた無線タグ６２は、返信データの送信時にも使用されるため、受信データが印刷された記録用紙の無線タグ６２に各種情報を書き込む態様に代えて、例えば、自動的に返信用のカバーページを作成する機能を有していれば、そのカバーページを印刷する記録媒体の無線タグ６２に上記各種情報を書き込んでおく態様も考えられる。
【００９５】
また、返信要求された受信データの内容を忘れてしまう可能性もあるため、カバーページの一部に受信データの先頭部分等の部分データを合わせて印刷しておく態様も考えられる。さらに、カバーページと、受信データの先頭を印刷した記録用紙の２つの無線タグに各種情報を書き込んでおいてもよい。
【００９６】
よって、受信したファクシミリデータに対する返信を送信する場合には、上記した最初の記録用紙、あるいは送信用カバーページを送信原稿の先頭にセットし、その無線タグから情報を読み出すと、この未返信情報が存在することになり、更に、その未返信情報に対応つけられている識別情報と一致する識別情報が返信管理メモリ１４１にも記憶されていることになる。
【００９７】
尚、Ｓ４０７の処理において、一致する識別情報が返信管理メモリ１４１に記憶されていない場合には（Ｓ４０７：Ｎｏ）、この送信原稿に対する返信状況については、管理していない旨の表示をＬＣＤ５４に表示し（Ｓ４１２）、Ｓ４０８の処理に移行する。
【００９８】
一方、Ｓ４０６のステップにおいて、未返信情報が無ければ（Ｓ４０６：Ｎｏ）、返信済みであることを示す返信済情報が存在するかを判断し（Ｓ４０９）、返信済情報が存在する場合は（Ｓ４０９：Ｙｅｓ）、返信済みである旨を示す情報をＬＣＤ５４に表示し（Ｓ４１０）、Ｓ４０８の処理に移行する。
【００９９】
即ち、未返信情報が存在することが検出された上で送信原稿（送信データ）を送信した場合には、その送信データは、返信データであると判断でき、この未返信情報は、後述するように返信済であることを示す返信済情報に更新される。従って、無線タグに返信済情報が存在している場合には、その無線タグが付与されている記録用紙（受信原稿）に対して、すでに返信データを送信済みであることが分かる。
【０１００】
また、Ｓ４０９の処理において、返信済情報が無ければ（Ｓ４０９：Ｎｏ）、返信要求フラグ１４４が「ＯＮ」であるかを判断し（Ｓ４１１）、「ＯＮ」であれば（Ｓ４１１：Ｙｅｓ）、Ｓ４０８の処理に移行する。尚、返信要求フラグ１４４が「ＯＮ」でない場合には（Ｓ４１１：Ｎｏ）、通常のＦＡＸ送信処理を実行し（Ｓ４２０）、本処理を終了する。
【０１０１】
Ｓ４０８の処理では、読み取った送信原稿のデータを送信する（返信する）か否かを、ユーザに確認するメッセージをＬＣＤ５４に表示する（Ｓ４０８）。例えば、送信原稿が、先に受信した返信要求がなされているファクシミリデータの返信であれば、上述した未返信情報と、識別情報とに対応つけて、その受信したファクシミリデータを送信した送信元装置のＦＡＸ番号（この場合、その送信元装置のＦＡＸ番号が返信先である送信先装置のＦＡＸ番号となる）が返信管理メモリ１４１に記憶されているので、その送信先装置のＦＡＸ番号を表示すると共に、その送信先装置に返信するか否かのメッセージをＬＣＤ５４に表示する。これにより、簡単に、且つ、間違いなく、送信先装置のＦＡＸ番号を取得できる。尚、新規の送信の場合は、Ｓ４０１の処理以前に、送信先の情報が指定されているため、そのＦＡＸ番号を使用する。
【０１０２】
そして、この表示を受けたユーザの入力を判断し（Ｓ４１３）、ユーザが送信する（返信する）として、例えば、セレクトキーを押下した場合には（Ｓ４１３：Ｙｅｓ）、送信先装置と接続する（Ｓ４１４）。即ち、送信先装置に呼出し信号（ＣＩ信号）、ＦＡＸ信号（ＣＮＧ信号）を送信し、その信号を受けて送信先装置から応答信号（ＣＥＤ信号）を受信することで、送信先装置と接続される。
【０１０３】
送信先装置と接続されると、さらに、その送信先装置から独自モードで送信先装置が有する機能を受信する（Ｓ４１５）。即ち、送信先装置が、本ファクシミリ装置１と同じ返信管理機能を有するか否かの情報を、ＮＳＦ信号、ＤＩＳ信号を介して受信し、その受信結果を判断する（Ｓ４１６）。
【０１０４】
その結果、返信対応可能、返信管理機能を有する場合（Ｓ４１６：Ｙｅｓ）、返信要求フラグが「ＯＮ」であるかを判断し（Ｓ４１７）、「ＯＮ」であれば（Ｓ４１７：Ｙｅｓ）、図５で説明する第１返信情報送信処理を実行し（Ｓ４１８）、本処理を終了する。一方、送信要求フラグが「ＯＮ」でない場合には（Ｓ４１７：Ｎｏ）、図６で説明する第２返信情報送信処理を実行し（Ｓ４１９）、本処理を終了する。
【０１０５】
従って、例えば、本装置から、送信先装置に対して新たな送信データを送信し、しかもその送信データに対して返信を要求する場合には（返信要求フラグ：ＯＮ）、無線タグ６２には未返信情報や返信済情報が書き込まれていないと考えられるため、Ｓ４０６，４０９の判断でＮｏと判断され、かつＳ４１１の判断でＹＥＳと判断される。そして、Ｓ４０８からＳ４１６の処理を経て、最終的にＳ４１７の判断でＹｅｓと判断されるため、第１返信情報送信処理が選択される。
【０１０６】
一方、本装置から、受信データに対する返信データを送信する場合であって、しかもその送信データに対して返信を要求しない（返信が要求されていない）場合には（返信要求フラグ：ＯＦＦ）、無線タグ６２には返信要求情報として未返信情報が書き込まれていると考えられるため、Ｓ４０６，４０７の判断でＹｅｓと判断される。そして、Ｓ４０８からＳ４１６の処理を経て、最終的にＳ４１７の判断でＹｅｓと判断されるため、第２返信情報送信処理が選択される。
【０１０７】
尚、Ｓ４１３の処理において、ユーザが送信しないとして、例えば、キャンセルキーを押下した場合には（Ｓ４１３：Ｎｏ）、本処理を終了する。また、Ｓ４１６の処理において、返信対応でない、返信管理機能を有さない場合には（Ｓ４１６：Ｎｏ）、通常のＦＡＸ送信処理を実行し（Ｓ４２０）、本処理を終了する。
【０１０８】
次に、図５を参照して、ファクシミリ装置１で実行される第１返信情報送信処理（Ｓ４１８）について説明する。図５は、第１返信情報送信処理のフローチャートである。この処理は、先に受信したファクシミリデータに対する返信をすると共に、その返信に対して、送信先装置に更に返信要求を行う場合の処理である。
【０１０９】
この処理では、まず、送信先装置に独自モードで第１返信情報を送信する（Ｓ５０１）。第１返信情報には、未返信情報に対応つけて返信管理メモリ１４１に記憶されている識別情報（無線タグから読み出した識別情報）と、送信元装置としての自装置のＦＡＸ番号を示す送信元情報と、返信である旨を示す返信応答情報と、返信を要求することを示す要返信情報と、その要返信情報に対する新たな識別情報として設定される送信日時情報と、その要返信情報に対する返信期限を示す返信期限情報とを、ＮＳＳ信号、ＴＳＩ信号を介して送信先装置に送信する。
【０１１０】
尚、図４の処理において、Ｓ４０３で未返信情報が無しと判断され、Ｓ４０９で返信済情報が無しと判断されていれば、新規の送信であるため、未返信情報に対応つけて返信管理メモリ１４１に記憶されている識別情報（無線タグから読み出した識別情報）、及び返信である旨を示す返信応答情報は含まれない。
【０１１１】
次に、通常のファクシミリ送信方式に従って送信原稿から読み取った画像データを送信先装置に送信する（Ｓ５０２）。
【０１１２】
そして、自動原稿送り装置２の原稿挿入口に排出された送信原稿のフロントページに付加されている無線タグに書き込まれている未返信情報を、返信済であることを示す返信済情報に無線タグライタ１６ａによって更新する。また、識別情報としての送信日時情報と、送信先のＦＡＸ番号を示す送信先識別情報と、返信を要求したにもかかわらず、その返信を受信していないことを示す返信未受信情報と、その返信期限を示す返信期限情報とを対応つけて、無線タグライタ１６ａによって、新たに、その無線タグに書き込む（Ｓ５０３）。尚、返信期限は、ＲＴＣ１７から現在日時を取得し、その現在日時から予め設定されている所定の期間後に設定される。
【０１１３】
次に、返信管理メモリ１４１に記憶されている、無線タグ６２から読み出した識別情報に対応つけられている未返信情報を、返信済であることを示す返信済情報に更新する。また、返信要求を行った場合は、新たな識別情報としての送信日時情報と、送信先のＦＡＸ番号を示す送信先識別情報と、返信を要求したにもかかわらず、その返信を受信していないことを示す返信未受信情報と、その返信期限を示す返信期限情報とを対応つけて、返信管理メモリ１４１に記憶する（Ｓ５０４）。
【０１１４】
この第１返信情報送信処理により、無線タグ６２から読み出された識別情報により特定される受信データに対して、返信データを送信したことを管理することができる。さらに、その返信データ（送信データ）に対して返信要求を行った場合には、それを管理するための情報を新たに返信管理メモリ１４１に生成し、送信先からの返信データを受信したか否かを管理することができるようになる。
【０１１５】
次に、図６を参照して、ファクシミリ装置１で実行される第２返信情報送信処理（Ｓ４１９）について説明する。図６は、第２返信情報送信処理のフローチャートである。この処理は、先に受信したファクシミリデータに対する返信データを送信する場合の処理である。
【０１１６】
この処理では、まず、送信先装置に独自モードで第２返信情報を送信する（Ｓ６０１）。第２返信情報には、未返信情報に対応つけて返信管理メモリ１４１に記憶されている識別情報（無線タグから読み出した識別情報）と、送信元装置としての自装置のＦＡＸ番号と、返信である旨を示す返信応答情報とを、ＮＳＳ信号、ＴＳＩ信号を介して送信先装置に送信する。
【０１１７】
次に、通常のファクシミリ送信方式に従って送信原稿から読み取った画像データを送信先装置に送信する（Ｓ６０２）。
【０１１８】
そして、自動原稿送り装置２の原稿挿入口に排出された送信原稿のフロントページに付加されている無線タグに書き込まれている未返信情報を、返信済であることを示す返信済情報に無線タグライタ１６ａによって更新する（Ｓ６０３）。
【０１１９】
次に、返信管理メモリ１４１に記憶されている、無線タグ６２から読み出した識別情報に対応つけられている未返信情報を、返信済であることを示す返信済情報によって更新する（Ｓ６０４）。
【０１２０】
この第２返信情報送信処理により、先に受信したファクシミリデータに対する返信データを送信したか否かを管理することができる。
【０１２１】
次に、図７を参照して、ファクシミリ装置１で実行されるファクシミリ受信処理について説明する。図７は、ファクシミリ受信処理のフローチャートである。この処理は、送信元装置から受信したファクシミリデータに対し、返信要求するか否かを管理したり、先に送信したファクシミリデータに対する返信を受信したか否かを管理するために、所定の情報を無線タグに書き込んだり、或は、所定の情報を返信管理メモリ１４１に記憶する処理である。
【０１２２】
この処理では、まず、送信元装置と接続され（Ｓ７０１）、独自モードで相手装置から送信される返信情報を取得する（Ｓ７０２）。尚、ここでいう返信情報とは、図５，６で説明した第１返信情報、或は、第２返信情報が該当する。
【０１２３】
そして、その返信情報の中に、返信応答情報が存在するかを判断する（Ｓ７０３）。尚、本実施形態では、第１返信情報として、この返信応答情報に加え、未返信情報に対応つけて送信元装置の返信管理メモリ１４１に記憶されている識別情報（送信元装置が無線タグから読み出した識別情報）が送信元装置から送信されるので、その識別情報と、一致する識別情報が本装置の返信管理メモリ１４１に記憶されているかを判断することで、この受信するファクシミリデータが返信であるかを判断するように構成しても良い。このように構成する場合には、第１返信情報として返信応答情報を送信する必要はない。
【０１２４】
その結果、返信応答情報が存在する場合には（Ｓ７０３：Ｙｅｓ）、返信情報の一部として、その返信応答情報と共に受信した識別情報と一致する識別情報を抽出し、その識別情報に対応つけて返信管理メモリ１４１に記憶されている返信未受信を、返信データを受信済みであることを示す返信受信済情報に更新する（Ｓ７０４）。尚、返信応答情報が無い場合には（Ｓ７０３：Ｎｏ）、Ｓ７０４の処理はスキップする。
【０１２５】
次に、Ｓ７０２で受信した返信情報に返信要求情報が存在するかを判断し（Ｓ７０５）、返信要求情報が有れば（Ｓ７０５：Ｙｅｓ）、受信するファクシミリデータの画像を最初に記録する記録用紙に付加されている無線タグに書き込む情報を返信情報に基づいて作成する（Ｓ７０６）。
【０１２６】
尚、返信情報が書き込まれた無線タグは、上記と同様に、返信用のカバーページを作成し、そのカバーページの無線タグに書き込まれる構成であってもよい。
【０１２７】
具体的に、この生成される情報には、本受信データの識別情報としての送信日時情報と、送信元装置のＦＡＸ番号を示す送信元識別情報と、その受信したＦＡＸに対して返信をしていないことを示す未返信情報と、その返信期限とが含まれている。
【０１２８】
一方、Ｓ７０５の処理によって、返信要求がされていない場合には（Ｓ７０５：Ｎｏ）、受信要返信設定フラグが「ＯＮ」であるかを判断し（Ｓ７０７）、「ＯＮ」であれば（Ｓ７０７：Ｙｅｓ）、受信するファクシミリデータの画像を最初に記録する記録用紙に付加されている無線タグに書き込む情報を返信情報に基づいて作成する（Ｓ７０８）。
【０１２９】
具体的に、この生成される情報には、識別情報としての受信日時情報と、送信元装置のＦＡＸ番号を示す送信元識別情報と、その受信したＦＡＸに対して返信をしていないことを示す未返信情報と、その返信期限とが含まれている。。
【０１３０】
尚、Ｓ７０７のステップにおいて、受信用返信設定フラグ１４３が「ＯＮ」でない場合には（Ｓ７０７：Ｎｏ）、通常のＦＡＸ受信を実行し（Ｓ７０９）、本処理を終了する。
【０１３１】
そして、Ｓ７１０のステップでは、Ｓ７０６と、Ｓ７０８とのステップにおいて、作成した情報を無線タグに書き込み（Ｓ７１０）、また、その無線タグに書き込んだ情報と同じ情報を返信管理メモリ１４１に記憶し（Ｓ７１１）、受信した画像を記録用紙に印刷し（Ｓ７１２）、本処理を終了する。
【０１３２】
このファクシミリ受信処理により、送信元装置から受信したファクシミリデータに対し、返信要求を行う否か、或は、先に送信したファクシミリデータに対する返信データを受信したか否かを管理することができる。
【０１３３】
次に、図８を参照して、図８（ａ）〜（ｃ）の各々に図示されているＬＣＤ５４に表示される返信管理一覧について説明する。この返信管理一覧は、返信管理一覧表示プログラムに従ってＬＣＤ５４に表示される一覧である。
【０１３４】
図８（ａ）は、受信用の返信管理一覧１００を示している。この一覧は、受信したファクシミリデータに対して返信が完了しているか否かを確認するための表示であり、例えば、ＬＣＤ５４に表示されるメニュー画面からユーザによって受信用の返信管理一覧の項目が選択された場合に、返信管理メモリ１４１に記憶されている該当する情報が抽出され、ＬＣＤ５４に表示される。
【０１３５】
この一覧には、左欄から順番に、受信日欄１０１、送信元欄１０２、返信情報欄１０３に区分けされ、受信日欄１０１には、所定期間内に受信したファクシミリデータの受信日時が、受信した順に上方から順番に表示される。送信元欄１０２には、送信元装置のＦＡＸ番号が表示される。返信情報欄１０３には、返信状況が表示される。
【０１３６】
この受信用の返信管理一覧１００をＬＣＤ５４に表示することで、ユーザは、例えば、「２００７／３／３  １５：１１」に「１２３４５６７８９０」の送信元装置から受信したファクシミリデータに対する返信の返信期限が「２００７／３／８  １５：１１  〆切」であることが分かり、「２００７／３／４  ２０：３２」に「１２３４５６７８９０」の送信元装置から受信したファクシミリデータに対する返信は「返信済み」であることが分かり、「２００７／３／６  １１：００」に「２３４５６７８９０１」の送信元装置から受信したファクシミリデータに対する返信は「未返信」であることが、一見して把握することができる。
【０１３７】
図８（ｂ）は、期限超過の返信管理一覧２００を示している。この一覧は、返信期限が超過しているファクシミリデータ（受信したファクシミリデータ、或は、返信したファクシミリデータ）を確認する表示であり、例えば、定期的なタイミングで、返信管理メモリ１４１に記憶されている該当する情報が抽出され、ＬＣＤ５４に表示される。
【０１３８】
この一覧には、左欄から順番に、受信日／送信日欄２０１、送信元／送信先欄２０２、返信情報欄２０３に区分けされ、受信日／送信日欄２０１には、返信期限が超過したファクシミリデータの受信日または送信日が表示される。送信元／送信先欄２０２には、送信元装置のＦＡＸ番号、或は、送信先装置のＦＡＸ番号が表示される。返信情報には、期限日が表示される。
【０１３９】
この期限超過の返信管理一覧２００をＬＣＤ５４に表示することで、ユーザは、例えば、「２００７／２／３  １５：１１」に「１２３４５６７８９０」の送信元装置から受信したファクシミリデータの返信期限が超過していることを、一見して把握することができる。
【０１４０】
図８（ｃ）は、送信用の返信管理一覧３００を示している。この一覧は、送信したファクシミリデータに対して返信されたか否かを確認するための表示であり、例えば、ＬＣＤ５４に表示されるメニュー画面からユーザによって送信用の返信管理一覧の項目が選択された場合に、返信管理メモリ１４１に記憶されている該当する情報が抽出され、ＬＣＤ５４に表示される。
【０１４１】
この一覧には、左欄から順番に、送信欄３０１、送信先欄３０２、返信情報欄３０３に区分けされ、受信日欄３０１には、所定期間内に送信したファクシミリデータの受信日時が、送信した順に上方から順番に表示される。送信先欄３０２には、送信先装置のＦＡＸ番号が表示される。返信情報欄３０３には、返信状況が表示される。
【０１４２】
この送信用の返信管理一覧３００をＬＣＤ５４に表示することで、ユーザは、例えば、「２００７／３／１  １５：１１」にＦＡＸ番号が「１２３４５６７８９０」の送信先装置に送信したファクシミリデータに対する返信の返信期限が「２００７／３／８  １５：１１  〆切」であることが分かり、「２００７／３／２  ２０：３２」にＦＡＸ番号が「１２３４５６７８９０」の送信先装置に送信したファクシミリデータに対する返信は「返信待ち」であることが分かり、「２００７／３／３  １１：００」にＦＡＸ番号が「２３４５６７８９０１」の送信先装置に送信したファクシミリデータに対する返信は「返信を受信済み」であることが、一見して把握することができる。
【０１４３】
また、受信データを印刷した記録用紙（受信原稿）に付加されている無線タグにも、その受信データに対する返信が必要であるかの要返信情報（未返信情報）、送信元情報、受信日時等の同様の情報が書き込まれているので、その無線タグを読み取らせることで、その受信原稿に関する情報をＬＣＤ５４に表示させ、返信データを送信したかどうかの確認に使用することも可能である。
【０１４４】
同様に、送信原稿の無線タグにも、送信先情報、返信を要求したことを示す情報、返信データを受信したかどうかを示す情報（返信未受信情報）等が書き込まれているので、その無線タグを読み取らせることで、その送信原稿に関する情報をＬＣＤ５４に表示させ、返信データを受信したかどうかの確認に使用することも可能である。
【０１４５】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１４６】
本実施形態では、上記したような各種情報を書き込む無線タグを、受信したファクシミリデータの画像が印刷される記録用紙のうち、最初の記録用紙に書き込む場合について説明したが、情報を書き込む無線タグについては、最初の記録用紙に限定されるものではなく、途中の記録用紙に付加されている無線タグ、あるいは、別途容易されている専用の記録用紙に付加されている無線タグであっても良い。
【０１４７】
また、本実施形態では、受信したファクシミリデータの受信日時を示す情報、送信したファクシミリデータの送信日時を示す情報を、受信したファクシミリデータ、送信したファクシミリデータを特定するための識別情報とする場合について説明したが、受信したファクシミリデータ、送信したファクシミリデータを特定するための識別情報としては、かかる受信日時、送信日時に限定されるものではなく、例えば、連続する数字を順番に割り当てたりするように構成しても良い。
【０１４８】
例えば、上述した実施形態のファクシミリ装置１では、無線タグリーダ１５、無線タグライタ１６ａ，ｂ，スキャナ装置２２、レーザプリンタ３０が全てファクシミリ装置１の内部構成として設けられていたが、これらがファクシミリ装置１に対し、ケーブルなどを介して接続された外付けの構成であっても良い。
【０１４９】
また、上述した実施形態のファクシミリ装置１では、自動原稿送り装置２によって原稿６１の画像データが読み取られるものとして説明したが、フラットベッド方式で画像データを読み取るファクシミリ装置にも、本発明が適用できることはもちろんである。
【図面の簡単な説明】
【０１５０】
【図１】本発明の通信装置の一実施形態としてのファクシミリ装置の模式的な断面図を示す図である。
【０１５１】
【図２】ファクシミリ装置の電気的構成を示すブロック図である。
【図３】（ａ）は、無線タグの電気的構成を示す概略的なブロック図であり、（ｂ）は、無線タグリーダと無線タグライタとの電気的構成を示す概略的なブロック図である。
【０１５２】
【図４】ファクシミリ送信処理を示すフローチャートである。
【図５】第１返信情報送信処理を示すフローチャートである。
【図６】第２返信情報送信処理を示すフローチャートである。
【図７】ファクシミリ受信処理を示すフローチャートである。
【図８】ＬＣＤに表示される返信管理一覧を示す図である。
【符号の説明】
【０１５３】
１                  ファクシミリ装置（通信装置）
１５                無線タグリーダ（無線タグ読出手段）
１６                無線タグライタ（無線タグ書込手段）
２２                スキャナ装置（読取手段）
３０                レーザプリンタ（画像形成手段）
１２１              ファクシミリ送受信プログラム
１２２              返信管理一覧表示プログラム（第１、第２の出力手段、抽出手段）
１４１              返信管理メモリ（記憶部）
１４２              送信用返信設定フラグ（設定手段）
１４３              受信用返信設定フラグ（設定手段）
Ｓ５０３、Ｓ６０３、Ｓ７１０  無線タグ書込手段
Ｓ５０４、Ｓ６０４、Ｓ７１１  返信管理記憶手段
Ｓ４０２、            無線タグ読出手段
Ｓ４０７              受信データ識別情報判断手段
Ｓ４１３              返信データ特定手段
Ｓ５０３、Ｓ６０３、Ｓ７０４  更新手段
Ｓ７０２              送信元取得手段
Ｓ４０８              確認手段
Ｓ４０３              返信要求取得手段
【図１】
2008252842.tif 000003
【図２】
2008252842.tif 000004
【図３】
2008252842.tif 000005
【図４】
2008252842.tif 000006
【図５】
2008252842.tif 000007
【図６】
2008252842.tif 000008
【図７】
2008252842.tif 000009
【図８】
2008252842.tif 000010